(57)【要約】      （修正有）【課題】種々の規格の電子装置に適し、電子装置との接続角度や位置を調整できる、可動コネクタを備える接続装置を提供する。【解決手段】可動コネクタを備える接続装置は、少なくとも１つのコネクタと、コネクタを載置する台座とを含む。コネクタは、電子装置に電気的に接続されて電子装置との間に信号を伝送するための接続スロットと、接続スロットに設けられる第一枢結構造と、接続スロットに設けられる第一位置決め構造とを含む。台座は、第一枢結構造と枢結方式で結合され、コネクタが前記台座に対して枢動するのを可能にする少なくとも１つの第二枢結構造と、第一位置決め構造と結合され、コネクタと台座の相対位置を固定する少なくとも１つの第二位置決め構造と、一端が回路基板に電気的に接続され、他端がコネクタに電気的に接続され、回路基板と電子装置の間に信号を伝送するピンセットとを含む。【選択図】図１
0003153934.tif 000002
【実用新案登録請求の範囲】
【請求項１】
可動コネクタを備える接続装置であって、
少なくとも１つのコネクタと、コネクタを載置する台座とを含み、
前記コネクタは、
電子装置に電気的に接続されて電子装置との間に信号を伝送するための接続スロットと、
前記接続スロットに設けられる第一枢結構造と、
前記接続スロットに設けられる第一位置決め構造とを含み、
前記台座は、
前記第一枢結構造と枢結方式で結合され、前記コネクタが前記台座に対して枢動するのを可能にする少なくとも１つの第二枢結構造と、
前記第一位置決め構造と結合され、前記コネクタと前記台座の相対位置を固定する少なくとも１つの第二位置決め構造と、
一端が回路基板に電気的に接続され、他端が前記コネクタに電気的に接続され、回路基板と電子装置の間に信号を伝送するピンセットとを含む、接続装置。
【請求項２】
前記第一枢結構造は凹部であり、前記第二枢結構造は、凹部内に回転自由に設けられる突起構造である、請求項１に記載の接続装置。
【請求項３】
前記第二枢結構造は凹部であり、前記第一枢結構造は、凹部内に回転自由に設けられる突起構造である、請求項１に記載の接続装置。
【請求項４】
前記第二枢結構造はスロットであり、前記第一枢結構造は、スロット内に摺動・回転自由に設けられる突起構造である、請求項１に記載の接続装置。
【請求項５】
前記第一枢結構造はスロットであり、前記第二枢結構造は、スロット内に摺動・回転自由に設けられる突起構造である、請求項１に記載の接続装置。
【請求項６】
前記第一位置決め構造は凹部であり、前記第二位置決め構造は、凹部内に係合される突起構造である、請求項１に記載の接続装置。
【請求項７】
前記第二位置決め構造は、前記コネクタが前記台座に対して種々の位置まで回転するときに、凹部内に係合される複数の突起を含む、請求項６に記載の接続装置。
【請求項８】
前記複数の突起は前記第二枢結構造とＴ字型を呈するように設けられる、請求項７に記載の接続装置。
【請求項９】
前記複数の突起は前記第二枢結構造を囲むように設けられる、請求項８に記載の接続装置。
【請求項１０】
前記複数の突起は直線配列される、請求項８に記載の接続装置。
【請求項１１】
前記第二位置決め構造は凹部であり、前記第一位置決め構造は、凹部内に係合される突起構造である、請求項１に記載の接続装置。
【請求項１２】
前記第二位置決め構造は、前記コネクタが前記台座に対して種々の位置まで回転するときに、前記突起構造と結合される複数の凹部を含む、請求項１１に記載の接続装置。
【請求項１３】
前記複数の凹部は前記第二枢結構造とＴ字型を呈するように設けられる、請求項１２に記載の接続装置。
【請求項１４】
前記複数の凹部は前記第二枢結構造を囲むように設けられる、請求項１３に記載の接続装置。
【請求項１５】
前記複数の凹部は直線配列される、請求項８に記載の接続装置。
【請求項１６】
前記第一枢結構造と前記第一位置決め構造は前記接続スロットの同じ側に設けられる、請求項１に記載の接続装置。
【請求項１７】
前記接続装置は更に、前記ピンセットに電気的に接続され、前記コネクタと接触する弾性片構造を含む、請求項１に記載の接続装置。
【請求項１８】
前記接続装置は更に、前記ピンセットに電気的に接続され、前記コネクタを接続するケーブルを含む、請求項１に記載の接続装置。
【請求項１９】
前記接続装置は、台座の上に積み重ねられる複数のコネクタを含む、請求項１に記載の接続装置。
【請求項２０】
前記複数のコネクタは前記台座に実質的に平行に設けられる請求項１９に記載の接続装置。
【考案の詳細な説明】
【技術分野】
【０００１】
本考案は接続装置に関し、特に可動コネクタを備える接続装置に関する。
【背景技術】
【０００２】
コネクタは一般に、電子装置を回路基板の所定位置に固定し、電子装置と回路基板を電気的に接続して信号伝送を可能にするために用いられる。したがって、従来の技術による電子装置の接続スロットは、所定の装着方向に沿ってコネクタに挿入しなければならない。しかし、従来のコネクタの設置は時間がかかるのみならず、装着も容易ではない。また、所定の装着方向に沿わずに電子装置を装着すれば、電子装置の接続スロットが損傷し、電子装置の機能に影響するおそれがある。のみならず、電子装置の装着方向を変えようとすれば、その装着方向に合わせて他型番のコネクタを使用しなければならないので、コストが高く設置が不便である。
【考案の概要】
【課題を解決するための手段】
【０００３】
本考案では、可動コネクタを備える接続装置を開示する。接続装置は少なくとも１つのコネクタと、コネクタを載置する台座とを含む。コネクタは、電子装置に電気的に接続されて電子装置との間に信号を伝送するための接続スロットと、接続スロットに設けられる第一枢結構造と、接続スロットに設けられる第一位置決め構造とを含む。台座は、第一枢結構造と枢結方式で結合され、コネクタが前記台座に対して枢動するのを可能にする少なくとも１つの第二枢結構造と、第一位置決め構造と結合され、コネクタと台座の相対位置を固定する少なくとも１つの第二位置決め構造と、一端が回路基板に電気的に接続され、他端がコネクタに電気的に接続され、回路基板と電子装置の間に信号を伝送するピンセットとを含む。
【考案を実施するための形態】
【０００４】
図１を参照する。図１は本考案による接続装置１０の分解図である。接続装置１０は少なくとも１つのコネクタ１２と、コネクタ１２を載置する台座１４とを含む。コネクタ１２は、電子装置１６を接続して電子装置１６との間に信号を伝送するための接続スロット１２１と、接続スロット１２１に設けられる第一枢結構造１２３と、接続スロット１２１に設けられる第一位置決め構造１２５とを含む。台座１４は、第一枢結構造１２３に枢結され、コネクタ１２が台座１４に対して枢動するのを可能にする少なくとも１つの第二枢結構造１４１と、第一位置決め構造１２５と結合され、コネクタ１２と台座１４の相対位置を固定する少なくとも１つの第二位置決め構造１４３と、一端が回路基板１８に電気的に接続され、他端がコネクタ１２に電気的に接続され、回路基板１８と電子装置１６の間の信号伝送を可能にするピンセット１４５とを含む。第一枢結構造１２３と第一位置決め構造１２５は接続スロット１２１の同じ側または反対側に設けられる。電子装置１６は例えばハードディスクドライブまたは光ディスクドライブである。
【０００５】
図２を参照する。図２は本考案の実施例１による接続装置１０の断面図である。接続装置１０は更に、ピンセット１４５に電気的に接続され、コネクタ１２に接触して回路基板１８と電子装置２６の間に信号を伝送するための弾性片構造２０を含む。弾性片構造２０の形状は実施例１に示すものに限らず、コネクタ１２が台座１４に対して枢動するのを妨げず、ピンセット１４５に電気的に接続されると同時にコネクタ１２に接触できるものであれば、その形状は任意である。図２、図３、及び図４を参照する。図２から図４は本考案の実施例１による接続装置１０のコネクタ１２が種々の位置にある状態を表す断面図である。図２、図３、及び図４に示す素子の動作は図１と同じなので、ここで説明を省略する。
【０００６】
図１、図５、図６、及び図７を参照する。図５から図７は図２から図４にそれぞれ対応する、実施例１による接続装置１０のコネクタ１２が種々の位置にある状態を表す説明図である。第一枢結構造１２３は例えば凹部であり、第二枢結構造１４１は例えばそれに対応する突起構造であり、第一枢結構造１２３（凹部）の中に回転自由に設けられている。また、第一位置決め構造１２５は例えば凹部であり、第二位置決め構造１４３は例えばそれに対応する突起構造であり、第一位置決め構造１２５（凹部）の中に係合されている。なお、第二位置決め構造１４３は複数の突起を含む。突起は、コネクタ１２が台座１４に対して種々の位置まで回転するときに第一位置決め構造１２５の凹部内に係合される。したがって、図５、図６、及び図７に示すように、コネクタ１２は台座１４に対してさまざまな方向に枢動でき、第一位置決め構造１２５と第二位置決め構造１４３の結合はユーザーの要求に応じてコネクタ１２と台座１４の相対角度を固定することができる。図５、図６、及び図７に示す素子の動作は図１と同じなので、ここで説明を省略する。
【０００７】
或いは、第二枢結構造１４１を凹部とし、第一枢結構造１２３を突起構造とするのも可能である。換言すれば、第一枢結構造１２３と第二枢結構造１４１は枢結されるものであればよく、その枢結構造や両者間の枢結関係は前述に限らない。第一位置決め構造１２５と第二位置決め構造１４３は凹部または突起構造である。突起構造の複数の突起は直線配列されるか、凹部を囲むように設けられるか、または凹部とＴ字型を呈するように設けられている。接続装置１０では複数の突起の位置により、コネクタ１２と台座１４の相対角度を変えることができる。
【０００８】
図８を参照する。図８は本考案の実施例２による接続装置１０の断面図である。接続装置１０は、ピンセット１４５に電気的に接続され、コネクタ１２を接続して回路基板１８と電子装置１６の間に信号を伝送するためのケーブル２２を含む。ケーブル２２は扁平で可撓性のあるものなので、コネクタ１２が台座１４に対して異なった位置まで回転しても、ピンセット１４５とコネクタ１２との電気的接続状態は保持され、回路基板１８と電子装置１６との信号伝送は妨げられない。図８に示す素子の動作は図１と同じなので、ここで説明を省略する。
【０００９】
図９を参照する。図９は本考案の実施例３による接続装置１０を表す説明図である。第一枢結構造１２３と第二枢結構造１４１は例えばスロットと突起構造である。突起構造は摺動・回転自由にスロット内に設けられている。第一枢結構造１２３と第二枢結構造１４１の枢動と摺動、及び第一位置決め構造１２５と第二位置決め構造１４３の位置決めにより、コネクタ１２は台座１４に対して枢動するのみならず、台座１４に対して両者間の相対位置を変えることができる。図９に示す素子の動作は図１と同じなので、ここで説明を省略する。
【００１０】
図１０を参照する。図１０は本考案の実施例４による接続装置１０を表す説明図である。接続装置１０は、台座１４の上に積み重ねられた複数のコネクタ１２を含む。第一枢結構造１２３と第二枢結構造１４１の枢動、及び第一位置決め構造１２５と第二位置決め構造１４３の位置決めにより、複数のコネクタ１２はユーザーの要求に応じて種々の方向や位置で台座１４の上に設けられている。図１０に示すように、複数のコネクタ１２は実質的に平行に台座１４に設けられている。図１０に示す素子の動作は図１と同じなので、ここで説明を省略する。
【００１１】
従来の技術に比べて、本考案の接続装置は位置決め構造と枢結構造の設計によりコネクタと台座の相対角度と相対位置を調整するもので、ＳＡＴＡまたはＩＤＥインターフェイスのハードディスクドライブなど現行の電子装置や、将来開発予定の規格の電子装置に適用できる。本考案では、所要のコネクタ数に応じて複数のコネクタを積み重ねて接続装置を作成することができる。したがって、本考案による接続装置は種々の規格の電子装置に適し、電子装置と接続装置の接続角度や位置を調整できる。
【００１２】
以上は本考案に好ましい実施例であって、本考案の実施の範囲を限定するものではない。よって、当業者のなし得る修正、もしくは変更であって、本考案の精神の下においてなされ、本考案に対して均等の効果を有するものは、いずれも本考案の実用新案登録請求の範囲に属するものとする。
【図面の簡単な説明】
【００１３】
【図１】本考案による接続装置の分解図である。
【図２】実施例１による接続装置のコネクタが種々の位置にある状態を表す断面図である。
【図３】実施例１による接続装置のコネクタが種々の位置にある状態を表す断面図である。
【図４】実施例１による接続装置のコネクタが種々の位置にある状態を表す断面図である。
【図５】実施例１による接続装置のコネクタが種々の位置にある状態を表す説明図である。
【図６】実施例１による接続装置のコネクタが種々の位置にある状態を表す説明図である。
【図７】実施例１による接続装置のコネクタが種々の位置にある状態を表す説明図である。
【図８】本考案の実施例２による接続装置の断面図である。
【図９】本考案の実施例３による接続装置を表す説明図である。
【図１０】本考案の実施例４による接続装置を表す説明図である。
【符号の説明】
【００１４】
１０      接続装置
１２      コネクタ
１４      台座
１６      電子装置
１８      回路基板
２０      弾性片構造
２２      ケーブル
１２１    接続スロット
１２３    第一枢結構造
１２５    第一位置決め構造
１４１    第二枢結構造
１４３    第二位置決め構造
１４５    ピンセット
【図１】
0003153934.tif 000003
【図２】
0003153934.tif 000004
【図３】
0003153934.tif 000005
【図４】
0003153934.tif 000006
【図５】
0003153934.tif 000007
【図６】
0003153934.tif 000008
【図７】
0003153934.tif 000009
【図８】
0003153934.tif 000010
【図９】
0003153934.tif 000011
【図１０】
0003153934.tif 000012